(57)【要約】      （修正有）【課題】男性器の嚢湿を防止し、血液循環及び新陳代謝を円滑にして男性の健康を増進させ、性機能を強化することができる男性用健康補助リングを提供する。【解決手段】男性の陰茎及び陰嚢を含めた性器全体が挿入され、シリコンからなる円環形のリング１０であって、前記リングは、男性の性器全体に嵌合したとき、陰茎の上部１１に位置する上部、及び陰嚢と股ぐらとの間に位置する下部１２からなり、前記リングの内部にはＳｉ（珪素）を９９重量％以上含む複数の鉱石粒子が内在しており、前記鉱石粒子は前記リングの上部より前記リングの下部にもっと多く内在しており、前記リングは、男性の性器全体に嵌合したとき、陰茎及び陰嚢の側面に位置する側部１３を含み、前記鉱石粒子が前記リングの側部の内部には内在していなく、前記リングの厚さは一定の条件を満たす。【選択図】図１
0003234973.tif 000002
【実用新案登録請求の範囲】
【請求項１】
男性の陰茎及び陰嚢を含めた性器全体が挿入され、シリコンからなる円環形のリングであって、
前記リングは、男性の性器全体に嵌合したとき、陰茎の上部に位置する上部、及び陰嚢と股ぐらとの間に位置する下部からなり、
前記リングの内部にはＳｉ（珪素）を９９重量％以上含む複数の鉱石粒子が内在しており、
前記鉱石粒子は前記リングの上部より前記リングの下部にもっと多く内在しており、
前記リングは、男性の性器全体に嵌合したとき、陰茎及び陰嚢の側面に位置する側部を含み、前記鉱石粒子が前記リングの側部の内部には内在していなく、
前記リングの水平方向への厚さは下記関係式１を満たす、男性用健康補助リング。
【数１】
0003234973.tif 000011
【請求項２】
男性の陰茎及び陰嚢を含めた性器全体が挿入され、シリコンからなる円環形のリングであって、
前記リングは、男性の性器全体に嵌合したとき、陰茎の上部に位置する上部、及び陰嚢と股ぐらとの間に位置する下部からなり、
前記リングの内部にはＳｉ（珪素）を９９重量％以上含む複数の鉱石粒子が内在しており、
前記鉱石粒子は前記リングの上部より前記リングの下部にもっと多く内在しており、
前記鉱石粒子の成分は下記化学式１で表現される、男性用健康補助リング。
【化１】
0003234973.tif 000012
【請求項３】
男性の陰茎及び陰嚢を含めた性器全体が挿入され、シリコンからなる円環形のリングであって、
前記リングは、男性の性器全体に嵌合したとき、陰茎の上部に位置する上部、及び陰嚢と股ぐらとの間に位置する下部からなり、
前記リングの内部にはＳｉ（珪素）を９９重量％以上含む複数の鉱石粒子が内在しており、
前記鉱石粒子は前記リングの上部より前記リングの下部にもっと多く内在しており、
前記鉱石粒子の平均粒径は２〜１２ｍｍである、男性用健康補助リング。
【請求項４】
男性の陰茎及び陰嚢を含めた性器全体が挿入され、シリコンからなる円環形のリングであって、
前記リングは、男性の性器全体に嵌合したとき、陰茎の上部に位置する上部、及び陰嚢と股ぐらとの間に位置する下部からなり、
前記リングの内部にはＳｉ（珪素）を９９重量％以上含む複数の鉱石粒子が内在しており、
前記鉱石粒子は前記リングの上部より前記リングの下部にもっと多く内在しており、
前記鉱石粒子は前記リングの内部に３〜１０個内在している、男性用健康補助リング。
【請求項５】
前記リングは回転非対称の円環形を有し、
前記リングの下部の弧の長さが前記リングの上部の弧の長さより長いことを特徴とする、請求項１〜４のいずれか一項に記載の男性用健康補助リング。
【請求項６】
前記リングの側部の前面部に一定間隔で離隔して形成された複数の突出部をさらに含むことを特徴とする、請求項１に記載の男性用健康補助リング。
【請求項７】
前記リング側部は弾性によって長手方向に変形可能であることを特徴とする、請求項１に記載の男性用健康補助リング。
【請求項８】
前記鉱石粒子は０．３〜３ＴＨｚ（１ＴＨｚ＝１０１２Ｈｚ）周波数帯域内の電磁波を放射することを特徴とする、請求項１〜４のいずれか一項に記載の男性用健康補助リング。
【考案の詳細な説明】
【技術分野】
【０００１】
本考案は男性用健康補助リングに関するもので、より詳しくは男性器の嚢湿を防止し、血液循環を円滑にして男性の健康を増進させ、性機能を強化することができる男性用健康補助リングに関するものである。
【背景技術】
【０００２】
近年、男性用健康補助器具に対する関心が高くなっている。特に、男性の陰茎などに装着して陰茎の勃起能力を強化して正常な性生活を維持することができるように補助的な役割を果たす男性用健康補助器具に対する関心が高い。
【０００３】
一般に、勃起不全や早漏症のように男性の勃起が弱い場合、血液循環及び新陳代謝を促進させるために陰茎に強化剤を使うことになる。既存には、ゲル状の勃起促進剤を敏感な皮膚組職に塗るか又は互いに異なる身体的特性を有する人々が同じ薬物を服用するから、その効能に違いがあるだけでなく、十分な臨床実験が行われなかったので、薬物服用によるひんぱんな副作用が発生するなどの多くの問題点があった。
【０００４】
したがって、近来には男性を元気にするために、男性の陰茎に嵌合して着用する男性用健康補助リングが提示された。
【０００５】
しかし、既存の男性用健康補助リングは男性の陰茎のみに嵌合して使うものが大部分である。この場合、男性器の血液循環を向上させるのに限界があり、陰茎を集中的に圧迫することによって尿道が圧迫されて排尿感を増大させる問題点があった。
【０００６】
それだけでなく、従来の男性の陰茎に嵌合して着用する男性用健康補助リングは性関係の際にのみ着用して一時的に男性器付近の血流量を増加させるから、男性の血液循環及び新陳代謝を根本的に向上させるのには限界点があった。また、着心地が悪くて男性が長期間着用するのには困難があった。
【先行技術文献】
【特許文献】
【０００７】
【特許文献１】韓国登録実用新案第２０−０３０７５７３号公報
【考案の概要】
【考案が解決しようとする課題】
【０００８】
本考案が解決しようとする課題は、男性器の嚢湿を防止し、血液循環及び新陳代謝を円滑にして男性の健康を増進させ、性機能を強化することができる男性用健康補助リングを提供することである。
【課題を解決するための手段】
【０００９】
上述した課題を解決するために、本考案は、男性の陰茎及び陰嚢を含めた性器全体が挿入され、シリコンからなる円環形のリングであって、前記リングは、男性の性器全体に嵌合したとき、陰茎の上部に位置する上部、及び陰嚢と股ぐらとの間に位置する下部からなり、前記リングの内部にはＳｉ（珪素）を９９重量％以上含む複数の鉱石粒子が内在しており、前記鉱石粒子は前記リングの上部より前記リングの下部にもっと多く内在している男性用健康補助リングを提供する。
【００１０】
本考案の好適な実施例によれば、前記リングは、男性の性器全体に嵌合したとき、陰茎及び陰嚢の側面に位置する側部を含み、前記鉱石粒子が前記リングの側部の内部には内在していなくてもよい。
【００１１】
本考案の好適な実施例によれば、前記リングは回転非対称の円環形を有し、前記リングの下部の弧の長さが前記リングの上部の弧の長さより長いことができる。
【００１２】
本考案の好適な実施例によれば、前記リングの水平方向への厚さは下記関係式１（数１）を満たすことができる。
【００１３】
【数１】
0003234973.tif 000003
【００１４】
本考案の好適な実施例によれば、前記リングの側部には、前記リングの側部を取り囲む円環形の突出部が形成され、前記突出部は一定間隔で離隔して複数が形成されることができる。
【００１５】
本考案の好適な実施例によれば、前記リングの側部は弾性によって長手方向に変形可能である。
【００１６】
本考案の好適な実施例によれば、前記鉱石粒子は０．３〜３ＴＨｚ（１ＴＨｚ＝１０１２Ｈｚ）周波数帯域内の電磁波を放射することができる。
【００１７】
本考案の好適な実施例によれば、前記鉱石粒子の成分は下記化学式１で表現されることができる。
【００１８】
【化１】
0003234973.tif 000004
【００１９】
本考案の好適な実施例によれば、前記鉱石粒子の平均粒径は２〜１２ｍｍであることができる。
本考案の好適な実施例によれば、前記鉱石粒子は前記リングの内部に３〜１０個内在することができる。
【考案の効果】
【００２０】
本考案の男性用健康補助リングは、男性器の嚢湿を防止し、血液循環及び新陳代謝を円滑にして男性の健康を増進させ、性機能を強化する効果がある。
【００２１】
また、本考案の男性用健康補助リングは、着心地を改善して排尿感を向上させ、不便感がなくて日常で長期間着用が可能であり、血流改善の効果がある。
【図面の簡単な説明】
【００２２】
【図１】本考案の好適な実施例による男性用健康補助リングの正面斜視図である。
【図２】本考案の好適な実施例による男性用健康補助リングの水平断面図である。
【図３】本考案の好適な実施例による男性用健康補助リングの部分断面図である。
【図４】本考案の好適な実施例による男性用健康補助リングの着用過程を示す状態図である。
【図５】本考案の好適な実施例による男性用健康補助リングの着用時の側断面図である。
【図６】本考案の好適な実施例による男性用健康補助リングの側面図である。
【図７】本考案の好適な実施例による男性用健康補助リングの側断面図である。
【図８】本考案の好適な実施例による男性用健康補助リングの遠赤外線放射率を測定したグラフである。
【図９】本考案の好適な実施例による男性用健康補助リングの遠赤外線放射エネルギーを測定したグラフである。
【考案を実施するための形態】
【００２３】
以下、添付図面に基づき、本考案が属する技術分野で通常の知識を有する者が容易に実施することができるように本考案の実施例を詳細に説明する。
【００２４】
まず、本明細書の用語について簡単に説明する。
【００２５】
‘水平方向’とは本考案の男性用健康補助リングの回転軸の垂直断面で水平な方向を意味する。
【００２６】
‘垂直方向’とは本考案の男性用健康補助リングの回転軸に垂直な断面で垂直な方向を意味する。
【００２７】
上述したように、既存の男性用健康補助リングは男性の陰茎のみに嵌合して使うものが大部分である。この場合、男性器の血液循環を向上させるのに限界があり、陰茎を集中的に圧迫することによって尿道が圧迫されて排尿感を増大させる問題点があった。また、着心地が悪くて男性が長期間着用するのには困難があり、よって性関係の際にのみ着用して一時的に男性器付近の血流量を増加させるから、男性の血液循環及び新陳代謝を根本的に向上させるのには限界点があった。
【００２８】
したがって、本考案は、男性の陰茎及び陰嚢を含めた性器全体が挿入されるシリコンからなる円環形のリングであって、前記リングは、男性の性器全体に嵌合したとき、陰茎の上部に位置する上部、及び陰嚢と股ぐらとの間に位置する下部からなり、前記リングの内部には複数の鉱石粒子が内在しており、前記鉱石粒子は前記リングの上部より前記リングの下部にもっと多く内在している男性用健康補助リングを提供して上述した限界点の解決策を図った。
【００２９】
これにより、本考案は、男性器の嚢湿を防止し、血液循環及び新陳代謝を促進させて男性の健康増進に役立つことができ、前立腺の機能を強化して早漏予防に役立ち、血流改善の効果によって勃起力が向上して性機能を向上させることができる。さらに、着心地を改善することにより、日常で長期間着用することができるようにして血流改善の効果をもっと向上させることができる。また、場合によっては、性関係の際に着用することもできる。この場合、円滑な性関係をなすことができる利点がある。
【００３０】
図１は本考案の好適な実施例による男性用健康補助リングの正面斜視図である。図１を参照すると、本考案の男性用健康補助リング１０は、男性の陰茎及び陰嚢を含めた性器全体が挿入される円環形のリングからなっている。また、前記リングは、男性器全体に嵌合して着用する場合、陰茎の上部に位置する上部１１、及び陰嚢及び股ぐらとの間に位置する下部１２を含む。また、前記リングは、男性器全体が通過するように嵌合して着用する場合、陰茎及び陰嚢の側面に位置する側部１３を含むことができる。一方、複数の鉱石粒子は前記リングの一部の内部に内在しているので、外部では肉眼で見えないことが分かる。
【００３１】
また、図２は本考案の好適な実施例による男性用健康補助リング１０の水平断面図である。図２を参照すると、男性用健康補助リング１０の水平方向に切断した断面図が示されている。図２を参照すると、複数の鉱石粒子２０が所定厚さのリングの内部に内在していることが分かる。また、前記リングの上部１１より前記リングの下部１２の内部にもっと多く存在することが分かる。
【００３２】
また、図３は本考案の好適な実施例による男性用健康補助リング１０の部分断面図である。図３は本考案の水平断面図を示すもので、リングの内部に内在している鉱石粒子２０を除いた切断面を示す部分断面図である。図３を参照すると、本考案の男性用健康補助リング１０の内部に複数の鉱石粒子２０が外部から観察されないように内在していることが分かる。
【００３３】
本考案の男性用健康補助リング１０は、男性の陰茎及び陰嚢を含めた性器全体を挿入して着用する。すなわち、本考案は陰茎のみ挿入するものではなく、陰茎及び陰嚢を含めた性器全体を挿入して性器全体を取り囲み、健康補助リング１０の下部１２が股ぐらと陰嚢との間に位置して嚢湿を防止する効果がある。
【００３４】
具体的に、陰嚢は睾丸を保護し、温度を正常体温の３７度より１〜８度程度低く維持する役割を果たす。仮に、睾丸の温度が体温と同じかそれより高くなれば、男性ホルモン及び精子の生産性及び活動力が低下し、ひどい場合には不妊につながる問題が発生することがある。よって、睾丸及び睾丸を保護する陰嚢の温度を一定温度の範囲内に低めれば、男性健康をより増進させることができる。
【００３５】
このような理由で、男性の陰嚢が男性の身体から離れるようにして体温より低い温度に維持することが重要であり、性器、特に陰嚢の周辺を円滑に通気させることも重要である。
【００３６】
これに関連して、本考案は、男性の陰茎及び陰嚢を含めた性器全体を挿入して着用する。よって、本考案の男性用健康補助リング１０を着用する場合、陰茎及び陰嚢の両者が股ぐらや内ももなどの男性身体から離れて位置する。その結果、陰茎及び陰嚢の温度が体温より低く維持されるように助けることができ、陰嚢と股ぐらとの間に男性用健康補助リング１０が位置することにより、嚢湿を防止することができ、陰嚢周辺を円滑に通気させることができる。よって、睾丸が精子を生成するようにシグナルを送る脳ホルモンである卵胞刺激ホルモン（ＦＳＨ）の量を増加させることができ、精子生産及び精子濃度を向上させることができるので、男性の生殖能力を著しく向上させることができる効果がある。
【００３７】
また、本考案は、陰茎及び陰嚢の両者を挿入することにより、陰茎に対する圧迫感を最小化することができ、その結果、尿道に対する圧迫感も除去することができるので、排尿感を増大させるなどの着用時の不便感を防止することができる効果がある。これにより、本考案は、着心地に優れて長期間の着用が可能であり、より優れた効果を発現することができる。
【００３８】
これに関連して、図４は本考案の好適な実施例による男性用健康補助リング１０の着用過程を示す状態図である。また、図５は本考案の好適な実施例による男性用健康補助リングの着用時の側断面図である。図４及び図５を参照すると、本考案の男性用健康補助リング１０は、男性の陰茎Ｐ及び陰嚢Ｓを含む性器全体を挿入して着用する。具体的に、図４を参照すると、男性の陰茎Ｐが男性用健康補助リング１０をＡ方向に通過するように着用する。すなわち、図５のように、男性の陰茎Ｐ及び陰嚢Ｓの両者が男性用健康補助リング１０を通過することによって着用される。これにより、陰茎Ｐ及び陰嚢Ｓが男性の身体から離れて位置し、特に陰嚢Ｓの場合、男性の股ぐら又は内ももＧから一定間隔以上離れて位置することができる。
【００３９】
仮に、陰茎及び陰嚢の両者が挿入されるものではなく、陰茎のみが挿入して陰茎の包皮と陰嚢との間にリングが挟まれる場合には、陰嚢が依然として男性の身体に密接に接触して位置することになる。また、陰茎の包皮と陰嚢との間に位置するリングがむしろ陰嚢を圧迫して陰嚢がもっと男性の身体に密接に接触することになり、よって陰嚢の体温が正常体温又はそれ以上に上昇することがある。
【００４０】
具体的に、陰嚢は除いて陰茎のみリングリングに挿入する場合には、陰嚢周辺が円滑に通気されなく、陰嚢と男性の身体が密接に接触することになる。その結果、陰嚢と股ぐらとの間に汗、湿気などが発生して嚢湿が発生し、陰嚢の体温が著しく上昇して卵胞刺激ホルモン（ＦＳＨ）の量が減少し、精子生産及び精子濃度を減少させて男性の生殖能力が減少することになる問題点が発生することがある。
【００４１】
また、陰茎及び陰嚢の両者が通過して挿入されるものではなく、陰茎のみ通過して陰茎の包皮と陰嚢との間にリングが挟まれる場合には、陰茎を集中的に圧迫し尿道を圧迫して排尿感を増大させる問題点があった。
【００４２】
本考案の男性用健康補助リング１０のリング部はシリコン（ｓｉｌｉｃｏｎｅ）からなり、より好ましくは医療用シリコン（Ｍｅｄｉｃａｌ  ｓｉｌｉｃｏｎｅ）からなることができる。これにより、本考案の男性用健康補助リング１０は、着用の際に弾力及び伸縮性によって変形されることができ、着心地を向上させることができる。
【００４３】
本考案の男性用健康補助リング１０の内部にはＳｉ（珪素）を９９重量％以上含む複数の鉱石粒子２０が内在している。すなわち、円環形リングの内部に複数の鉱石粒子２０が埋め込まれるか押し込まれて存在する。
【００４４】
本考案の好適な実施例によれば、前記鉱石粒子２０は複数のテラヘルツ（ＴＥＲＡＨＥＲＴＺ’）鉱石粒子２０を含み、前記鉱石粒子２０は０．３〜３ＴＨｚ（１ＴＨｚ＝１０１２Ｈｚ）周波数帯域内の電磁波であるテラヘルツ波を放射することができる。
【００４５】
ここで、テラヘルツ波は毎秒１兆（テラ、１０１２）回振動する電磁波であり、その振動数（周波数）領域が０．１〜１００ＴＨｚ（テラヘルツ）である点で、電波のように物質を透過する性質と、光のように直進する性質とを有する。テラヘルツ波領域には地球上の全ての生体の固有振動数があると言われ、人体に安全で有用な電磁波であると思われているので、テラヘルツ波を用いて癌細胞を判定する研究も行われている。テラヘルツ波は、放射線などのように細胞の核や核中の遺伝子を破壊又は損傷させなく、反対に、透過の際に細胞のねじれを正しく調和させて細胞を活性化させる作用をする。その結果、細胞や血液が活性化して毛細管が確張し、新進代謝が活発になり、免疫力や自然治癒力が向上するとともに、汗とともに余分の体脂肪や老廃物などが排出される。
【００４６】
テラヘルツ鉱石は珪素を主原料とする鉱石であり、周波数が（１／１兆）Ｈｚであるテラヘルツ波（ＴＥＲＡＨＥＲＴＺ  ＷＡＶＥ）を放射する。テラヘルツ波はＸ−ＲＡＹ、ＭＲＩのようなマイクロ波より波長が長くて空気透過性に優れる。また、Ｘ−ＲＡＹ、ＭＲＩは放射線が検出されて人体に有害である反面、テラヘルツ波は人体を刺激しなくて医療用製品にも広く使うことができる利点がある。
【００４７】
鉱石粒子２０がリングの内部に内在すれば、本考案の男性用健康補助リング１０に陰茎及び陰嚢を含めた性器全体を挿入して着用する場合、陰茎及び陰嚢に直間接的にテラヘルツ波が放射され、人体内のタンパク質などの物質が共振してコレステロールや活性酸素を分解させる。これにより、血管の脂肪付着を防止し、血栓を防止し、血液が円滑に流れるようにする効果がある。その結果、血液循環及び新陳代謝を円滑にすることができ、男性の健康を増進させ、性機能を強化する効果がある。
【００４８】
一方、本考案の好適な実施例によれば、前記鉱石粒子２０の成分は下記化学式２で表現することができる。
【００４９】
【化２】
0003234973.tif 000005
【００５０】
より好ましくは、鉱石粒子２０の成分は下記化学式３で表現することができる。
【００５１】
【化３】
0003234973.tif 000006
【００５２】
ここで、本考案の男性用健康補助リング１０が陰茎及び陰嚢を含めた性器全体に嵌合されて着用される場合、陰茎及び陰嚢に直間接的にテラヘルツ波を放射して血液循環及び新陳代謝を円滑にすることができるので、男性の健康を増進させ、性機能を強化することができる。
【００５３】
一方、前記鉱石粒子２０は前記リング上部１１より前記リング下部１２にもっと多く内在している。これにより、本考案の男性用健康補助リング１０は、嚢湿及び体温上昇による生殖能力低下のおそれがある陰嚢の血液循環を集中的に改善することができる効果がある。
【００５４】
本考案の好適な実施例によれば、前記男性用健康補助リング１０は、男性の性器全体に嵌合したとき、陰茎及び陰嚢の側面に位置する側部１３を含み、前記鉱石粒子２０が前記リング側部１３の内部には内在しないこともできる。
【００５５】
図２を参照すると、上部１１及び下部１２の内部には鉱石粒子２０が内在している反面、側部１３の内部には鉱石粒子２０が内在しないことが分かる。
【００５６】
このように、男性用健康補助リング１０の上部１１及び下部１２の内部のみに鉱石粒子２０が内在しており、側部１３の内部には内在しないので、本考案のリングの側部１３はシリコンのみからなる。よって、前記リング側部１３は弾性によって長手方向に変形されることができる。
【００５７】
リング側部１３がシリコンの弾性によって長手方向に容易に変形可能であるので、本考案の男性用健康補助リング１０を脱着する場合、陰茎及び陰嚢に圧力をかけなくても容易に脱着することができる効果がある。また、使用者ごとに性器のサイズが異なることができるが、性器が比較的大きいか小さい場合にもリングに弾性及び伸縮性を付与することができるので、不便感なしに安定的に着用することができる利点がある。
【００５８】
一方、本考案は、前記リング側部１３の前面部に一定間隔で離隔して形成された複数の突出部をさらに含むことができる。突出部によって陰嚢に対する刺激を増大させることができ、よって男性の性機能を強化することができる効果がある。
【００５９】
これに関連して、図１を参照すると、リング側部１３の前面部の少なくとも一部に所定の長さ及び厚さを有するように突設された複数の突出部１４が形成され、前記複数の突出部１４は一定間隔で離隔して形成されることが分かる。また、好ましくは、突出部１４は両側のリング側部１３のそれぞれに対称となるように形成され、それぞれ複数ずつ所定間隔で離隔して形成されることができる。これにより、リング１０を着用した場合、前記突出部１４によって男性の陰嚢に刺激が加わり、このような刺激によって男性の性機能をより強化することができる。
【００６０】
鉱石粒子２０は男性用健康補助リング１０の内部に埋め込まれて内在することができ、多様な形状を有することができる。
【００６１】
例えば、球形、六面体形、多角形などの多様な形状を有することができる。
【００６２】
本考案の好適な実施例によれば、前記鉱石粒子２０の平均粒径は２〜１２ｍｍであり、好ましくは３〜１０ｍｍであり、より好ましくは４〜８ｍｍである。
【００６３】
鉱石粒子２０の平均粒径が前記範囲を満たす場合にはリングの内部に完全に埋め込まれて内在することができ、これを着用する場合に着用者の不便感を減少させることができ、血液循環及び新陳代謝を円滑にすることができる効果を同時に満たすことができる利点がある。
【００６４】
仮に、鉱石粒子２０の平均粒径が前記範囲未満の場合には、鉱石粒子２０が人体に及ぶ影響が少なくなって血液循環及び新陳代謝を促進する効果が減少することができ、鉱石粒子２０の平均粒径が前記範囲を超える場合には、リングの内部に完全に埋め込まれにくくて着用の際に不便感を与える問題点が発生することがある。
【００６５】
また、前記鉱石粒子２０は大きさ及び形状によって適切な数がリングの内部に内在することができ、好ましくは前記リングの内部に３〜１０個内在することができる。より好ましくは、リング上部１１には１〜３個が内在することができ、リング下部１２には２〜７個が内在することができる。
【００６６】
一方、前記鉱石粒子２０は、粒子のサイズ、形状及び数によって適切な間隔で離隔して内在することができる。
【００６７】
本考案の好適な実施例によれば、前記リングは回転非対称の円環形に形成され、前記リング下部の円周が前記リング上部の円周より長いことができる。
【００６８】
図１を参照すると、本考案の男性用健康補助リング１０は、円を軸を中心に回転させた円環面を表面とする立体形状（ドーナツ形状）の円環体からなることが分かる。また、完全な対称形状ではない非対称円環形を有し、リング１０の下部１２の弧の長さが上部１１の弧の長さより長い非対称円環形を有することが分かる。
【００６９】
これにより、本考案は、男性が本考案の男性用健康補助リング１０を着用した場合、リング下部１２が安定的にリング上部及び陰嚢と股ぐらとの間に位置することができ、さらにリング下部１２の弧の長さがより長く形成されることにより、より多い鉱石粒子２０が内在することができる。
【００７０】
また、リング上部１１の弧の長さが比較的短く形成されることにより、着用の際に着心地を向上させることができ、陰茎に加わる圧力を最小化することができ、尿道圧迫などによる排尿感上昇などの不便感を最小化することができる効果がある。
【００７１】
一方、前記リングの水平方向への厚さは、上部１１、下部１２及び側部１３のそれぞれが異なるように形成されることが好ましい。ここで、リングの水平方向への厚さは本考案の男性用健康補助リング１０の回転軸の垂直断面で水平な方向への厚さを意味する。
【００７２】
より好ましくは、前記リング下部１２の水平方向への厚さはリング上部１１の水平方向への厚さより大きく、前記リング上部１１の水平方向への厚さは前記リング側部１３の水平方向への厚さより大きいことができる。
【００７３】
この場合、着用の際に陰茎の上部に位置するリング上部１１の厚さが陰嚢と股ぐらとの間に位置するリング下部１２の厚さより小さく形成されることにより、陰茎に加わる圧力を最小化することができ、痛症及び不便感を減少させることができ、着心地を向上させることができる。また、リング側部１３の厚さが最も小さく形成されることにより、シリコンの弾性によって長手方向への変形が容易であり、よって男性用健康補助リング１０を脱着する場合に陰茎及び陰嚢に圧力をかけなくても容易に脱着することができる効果がある。
【００７４】
好ましくは、前記リングの水平方向への厚さは下記関係式２（数２）を満たすことができる。
【００７５】
【数２】
0003234973.tif 000007
【００７６】
前記関係式２の範囲は、好ましくは、数３の範囲であり、より好ましくは、数４の範囲である。
【００７７】
【数３】
0003234973.tif 000008
【００７８】
【数４】
0003234973.tif 000009
【００７９】
本考案の男性用健康補助リング１０の水平方向への厚さが前記範囲を満たす場合には、男性器の嚢湿を防止し、血液循環及び新陳代謝を円滑にして男性の健康を増進させ、性機能を強化する効果がある。さらに、着心地を改善して排尿感を向上させるなど、不便感がなくて日常で長期間着用が可能であり、血流改善の効果を一層高めることができる。
【００８０】
これに関連して、図６は本考案の好適な実施例による男性用健康補助リングの側面図、図７は本考案の好適な実施例による男性用健康補助リングの側断面図である。図６を参照すると、本考案の男性用健康補助リング１０の上部１１及び側部１３の垂直方向への厚さはほぼ同一であり、下部１２の垂直方向への厚さがより大きいことが分かる。図７を参照すると、リング下部１２にはより多い数の鉱石粒子２０が内在しているので、陰嚢の血液循環を効果的に改善することができる。また、リング下部１２の垂直方向への厚さがより大きく形成されることにより、陰嚢と股ぐらとの間に安定的に着用することができ、これにより陰嚢の体温を低め、嚢湿を防止し、男性の健康増進及び性機能強化にも効果的であることが分かる。
【００８１】
結局、本考案の男性用健康補助リング１０は、男性器の嚢湿を防止し、血液循環及び新陳代謝を円滑にして男性の健康を増進させ、性機能を強化する効果がある。また、着心地を改善して排尿感増加などの不便感がなくて日常で長期間の着用が可能であり、持続的に血流を改善することができる効果があり、男性の性機能をより効率的に強化することができる。
【００８２】
以下、本考案を実施例に基づいてより詳細に説明する。
【実施例１】
【００８３】
医療用シリコン及びＳｉ（珪素）を９９重量％以上含む鉱石粒子を複数準備した。医療用シリコンが非対称円環形のリングを形成するように加工し、前記リングの上部及び下部の内部に前記複数の鉱石粒子を埋め込んで男性用健康補助リングを製造した。
【００８４】
実験例１．放射率及び放射エネルギーの測定
実施例１の男性用健康補助リングに対してＫＦＩＡ−ＦＩ−１００５の試験方法に従って３７℃でＦＲ−ＩＲ分光計を用いて黒体（ＢＬＡＣＫ  ＢＯＤＹ）に対比して放射率及び放射エネルギーを測定した。その結果値を下記の表１に示す。
【００８５】
【表１】
0003234973.tif 000010
【００８６】
これに関連して、図８は本考案の好適な実施例による男性用健康補助リングの遠赤外線放射率を測定したグラフ、図９は本考案の好適な実施例による男性用健康補助リングの遠赤外線放射エネルギーを測定したグラフである。
【００８７】
図８及び図９を参照すると、本考案の放射率は約０．９程度と高く現れることが分かり、放射エネルギーも黒体の８５〜９０％範囲の高い値を有することが分かる。
【００８８】
これにより、本考案のリングの内部に内在する鉱石粒子によってテラヘルツ波が多量放射され、男性の陰茎及び陰嚢の血流を効果的に改善することができることが分かる。
【図１】
0003234973.tif 000013
【図２】
0003234973.tif 000014
【図３】
0003234973.tif 000015
【図４】
0003234973.tif 000016
【図５】
0003234973.tif 000017
【図６】
0003234973.tif 000018
【図７】
0003234973.tif 000019
【図８】
0003234973.tif 000020
【図９】
0003234973.tif 000021